(57)【特許請求の範囲】
【請求項１】
テープ走行系部品を配置したメインシャーシと、前記メインシャーシ上でスライド可能に支持されるスライドシャーシと、リンク機構を介して前記スライドシャーシに対して上下動可能に支持されるカセットホルダと、前記メインシャーシを支持するシャーシホルダとを備えた記録または再生装置であって、
記録または再生時には、前記メインシャーシは第１の保持部材によって前記シャーシホルダに対して弾性的に保持され、
カセット装填時には、前記スライドシャーシは第２の保持部材によって前記シャーシホルダに対して剛性的に保持されることを特徴とする記録または再生装置。
【請求項２】
前記第２の保持部材は、カセット装填時に前記カセットホルダに加えられる力によるスライドシャーシの動きを、少なくとも力の加えられる方向に対して規制するスライドシャーシ受け部であることを特徴とする請求項１に記載の記録または再生装置。
【発明の詳細な説明】
【０００１】
【発明の属する技術分野】
本発明は、記録または再生装置に関するものである。
【０００２】
【従来の技術】
以下に、記録または再生装置の例を説明する。
図７は、従来の記録または再生装置を説明するための側面図である。同図において２１は記録媒体としてのテープを収容するカセット、２２はカセット２１が装填されるカセットホルダである。２３，２４はリンクを構成する一対のレバーであり、軸２５により回動自在に連結されている。レバー２３の一端は軸２３ａによりカセットホルダ２２に支持され、他端は軸２３ｂによりスライドシャーシ２６の長孔２６ａに係合している。レバー２４の一端は軸２４ａにより後述のスライドシャーシに支持され、他端は長孔２４ｂによりカセットホルダ２２の軸２２ａにスライド自在に係合されている。
【０００３】
２６はスライドシャーシ、２７はメインシャーシであり、図示しないテープ走行系部品を配置している。スライドシャーシ２６はメインシャーシ２７上をスライド可能に支持されている。２８はカセットホルダカバー、２９はシャーシホルダである。シャーシホルダ２９はメインシャーシ２７を保持するためのものであり、図示されていない部分で装置の外装キャビネットに強固に固定されている。２９ａはメインシャーシ保持部であり、ビス等によって固定される。
【０００４】
図８および図９は、上述した記録または再生装置の動作を説明するための図である。図７の状態でカセット２１をカセットホルダ２２に装填し、その後カセットホルダ２２を矢印Ｆ方向に移動させると図８の状態となる。この位置でカセットホルダ２２とスライドシャーシ２６は、ロックされるようになっている。カセットホルダ２２がロックされると自動的に、スライドシャーシ２６は図中、右方向にスライドして図９の状態となる。この状態でカセット２１内のテープが走行することで、回転ヘッド等（図示せず）によってそのテープに対する記録または再生が行なわれる。
【０００５】
【発明が解決しようとする課題】
しかしながら、上記従来例では以下のような点で問題となっていた。
メインシャーシ２７にはテープ走行系部品が配置されているため、メインシャーシ保持部２９ａで強固に固定するとメインシャーシ２７にストレスが加わる。すると、記録あるいは再生の性能に悪影響がでる。また、テープ走行系や回転ヘッド等の振動がメインシャーシ保持部２９ａを伝わって、これが騒音発生の原因となる。
【０００６】
このためメインシャーシ保持部２９ａにおいてメインシャーシ２７を弾性的に保持することが好ましい。ところが、図７の状態でカセットホルダ２２を矢印Ｆ方向に移動させる場合、そのときの荷重でメインシャーシ２７が動かないようにメインシャーシ保持部２９ａによって強固に固定する必要がある。このように相反する条件を同時に満足させるのは実際上、難しかった。
【０００７】
本発明はかかる実情に鑑み、部材相互間に適切な剛弾性を付与し、装置の適正かつ円滑作動を実現する記録または再生装置を提供することを目的とする。
【０００８】
【課題を解決するための手段】
本発明の記録または再生装置は、テープ走行系部品を配置したメインシャーシと、前記メインシャーシ上でスライド可能に支持されるスライドシャーシと、リンク機構を介して前記スライドシャーシに対して上下動可能に支持されるカセットホルダと、前記メインシャーシを支持するシャーシホルダとを備えた記録または再生装置であって、記録または再生時には、前記メインシャーシは第１の保持部材によって前記シャーシホルダに対して弾性的に保持され、カセット装填時には、前記スライドシャーシは第２の保持部材によって前記シャーシホルダに対して剛性的に保持されることを特徴とする。
【０００９】
また、本発明の記録または再生装置において、カセット装填時に前記カセットホルダに加えられる力によるスライドシャーシの動きを、少なくとも力の加えられる方向に対して規制するスライドシャーシ受け部であることを特徴とする。
【００１０】
本発明によれば、カセット装填装置においてメインシャーシに対するストレスがなくなり、記録および再生の性能に悪影響がでることがない。また、メインシャーシが弾性的に保持されることで、テープ走行系や回転ヘッド等の振動がメインシャーシ保持部を伝わり騒音が発生するのを防ぐことができる。
【００１１】
また、カセット装填時、スライドシャーシが第２の保持部材、すなわちスライドシャーシ受け部によって剛性的に保持されることで、カセット装填時の操作性が向上する。
【００１２】
【発明の実施の形態】
以下、図面に基づき、本発明による記録または再生装置の好適な実施の形態を説明する。
図１は、本発明の特徴を最も良く表わす記録または再生装置の側面図である。同図において１はカセット、２はカセット１が装填されるカセットホルダである。３，４はリンクを構成する一対のレバーであり、軸５により回動自在に連結されている。レバー３の一端は軸３ａによりカセットホルダ２に支持されており、他端は軸３ｂによりスライドシャーシ６の長孔６ａに係合されている。レバー４の一端は軸４ａによりスライドシャーシ６に支持されており、他端は長孔４ｂによりカセットホルダ２の軸２ａにスライド自在に係合されている。
【００１３】
６はスライドシャーシ、７はメインシャーシであり、図示しないテープ走行系部品を配置している。スライドシャーシ６はメインシャーシ７上をスライド可能に支持されている。８はカセットホルダカバー、９はシャーシホルダである。シャーシホルダ９はメインシャーシ７を保持するためのものであり、図示されていない部分で装置の外装キャビネットに強固に固定されている。９ａはメインシャーシ保持部であり、ゴムまたは板バネ等から形成され、シャーシホルダ９上の３ヶ所に取り付けられている。したがって、メインシャーシ７はメインシャーシ保持部９ａを介して弾性的にシャーシホルダ９に固定されることになる。９ｂは矢印Ｆの力をスライドシャーシ６の底面で受けるためのスライドシャーシ受け部である。このスライドシャーシ受け部９ｂは、シャーシホルダ９の曲げて形成した端部にエンボス加工等により一体形成される。
【００１４】
ここで、本発明に係る記録または再生装置の全体構成例を説明する。
記録または再生装置は、回転ヘッドを有する回転シリンダ装置を備えている。この回転シリンダ装置はメインシャーシ７の所定位置に配置され、一方、メインシャーシ７に対してスライド可能に構成されたスライドシャーシ６にはテープリール等が配置される。つまり、メインシャーシ７およびスライドシャーシ６を別体構造とし、スライドシャーシ６（カセット載置部材）に装着したカセット１を回転シリンダ装置に対して進退させる構成となっている。
【００１５】
また、記録または再生装置は、キャプスタン、キャプスタンモータ、回転シリンダ装置に対するテープ進入側におけるテープ引出用のテープガイド部材および回転シリンダ装置に対するテープ出側におけるテープ引出用のテープガイド部材等を備えているものとする。
【００１６】
記録または再生装置におけるテープローディング時、スライドシャーシ６にテープカセット１が装填された後、テープガイド部材によってカセット１の開口部から磁気テープが引き出されていくと同時に、スライドシャーシ６が回転シリンダ装置に向かってスライド移動する。そして、回転シリンダ装置が相対的に開口部内に配置されると共に、テープガイド部材によってテープが回転シリンダ装置の周面に巻き付けられる。かくして、この記録または再生装置によれば、テープを所定のテープパスに沿って走行させることにより、記録および再生を行うことができる。
【００１７】
つぎに図２および図３は、記録または再生装置の動作を説明するための図である。
図１の状態でカセット１をカセットホルダ２に装填し、その後カセットホルダ２を矢印Ｆ方向に移動させると図２の状態である。この位置でカセットホルダ２とスライドシャーシ５はロックされるようになっている。カセットホルダ２がロックされると自動的に、スライドシャーシ５は図中、右方向にスライドし図３の状態となる。この状態でカセット１内のテープが走行することで、回転ヘッド等（図示せず）によってテープに対する記録または再生が行われる。
【００１８】
図３の状態では、メインシャーシ７がメインシャーシ保持部９ａで弾性的に支持して固定されているため、メインシャーシ７に対するストレスがなくなり、記録および再生の性能にも悪影響がでない。また、テープ走行系や回転ヘッド等の振動がメインシャーシ保持部９ａを伝わり騒音が発生する問題も解決される。
【００１９】
また図１の状態では、カセットホルダ２を矢印Ｆ方向に移動させる場合、スライドシャーシ受け部９ｂにより、Ｆ方向の力でメインシャーシ７が動かないようになっている。さらにスライドシャーシ受け部９ｂを紙面奥行き方向に２カ所設定するか、幅を広く設定することにより安定度を増すことができる。
【００２０】
なお、実施形態では、スライドシャーシ受け部９ｂがシャーシホルダ９の一部として形成されている例を説明したが、シャーシホルダ９に取り付けられた部品や、外装キャビネットの一部あるいは外装の蓋などの部品の一部でもよい。
【００２１】
つぎに、本発明の第２の実施形態を説明する。
図４は本発明の第２の実施形態を表わす記録または再生装置の側面図である。全体構成は第１の実施形態の場合と実質的に同じである。図において特に１９ｂはスライドシャーシ１６の底面とシャーシホルダ１９を固定するためのスライドシャーシ受け部である。
【００２２】
図５はスライドシャーシ受け部１９ｂを矢印Ａ方向から見た斜視図である。図のように段のついたピン形状をしている。それに対して、スライドシャーシ１６の底面にはＵ字形状の溝１６ｂがあり、スライドシャーシ１６が移動することにより両者が嵌合し固定される。
【００２３】
図６は両者が嵌合し固定された状態の記録または再生装置の側面図である。スライドシャーシ受け部１９ｂのピン形状により、紙面上下方向にスライドシャーシ１６が固定され、さらにカセット装填時の安定性が増す。
【００２４】
本実施形態では、スライドシャーシ受け部１９ｂはシャーシホルダ１９の一部として形成されている例を説明したが、外装キャビネットの一部あるいは外装の蓋などの部品の一部でもよい。また、その形状もスライドシャーシ１６とスライドシャーシ受け部１９ｂとが嵌合し固定される形状であればよい。
また、嵌合部分が１か所の場合の例を説明したが、複数か所であれば、さらに記録または再生装置の安定性が増す。
【００２５】
【発明の効果】
以上説明したように本発明によれば、メインシャーシのストレスがなくなり、良好な記録および再生性能を得ることができる。またテープ走行系や回転ヘッド等の振動がメインシャーシ保持部を伝わり騒音が発生する問題も解決される。さらにカセット装填時、スライドシャーシ受け部によってスライドシャーシが剛性的に保持され、カセット挿入時の力でメインシャーシが動かないようにすることでカセット装填時の操作性が向上する。従って操作性、使い勝手に優れた記録または再生装置を実現すると共に、結果的に記録および再生性能を向上させることができる等の利点を有している。
【図面の簡単な説明】
【図１】本発明による記録または再生装置の第１の実施形態における側面図である。
【図２】本発明による記録または再生装置の第１の実施形態における動作を説明する側面図である。
【図３】本発明による記録または再生装置の第１の実施形態における動作を説明する側面図である。
【図４】本発明による記録または再生装置の第２の実施形態における側面図である。
【図５】図５のＡ矢視図である。
【図６】本発明による記録または再生装置の第２の実施形態における動作を説明する側面図である。
【図７】従来の記録または再生装置の側面図である。
【図８】従来の記録または再生装置における動作を説明する側面図である。
【図９】従来の記録または再生装置における動作を説明する側面図である。
【符号の説明】
１  カセット
２  カセットホルダ
３，４  リンク
５  軸
６  スライドシャーシ
７  メインシャーシ
８  カセットホルダカバー
９  シャーシホルダ
９ａ  メインシャーシ保持部
９ｂ  スライドシャーシ受け部
１１  カセット
１２  カセットホルダ
１３，１４  リンク
１５  軸
１６  スライドシャーシ
１６ｂ  Ｕ字形状の溝
１７  メインシャーシ
１８  カセットホルダカバー
１９  シャーシホルダ
１９ｂ  スライドシャーシ受け部
【図１】
0003658143.tif 000002
【図２】
0003658143.tif 000003
【図３】
0003658143.tif 000004
【図４】
0003658143.tif 000005
【図５】
0003658143.tif 000006
【図６】
0003658143.tif 000007
【図７】
0003658143.tif 000008
【図８】
0003658143.tif 000009
【図９】
0003658143.tif 000010